(57)【特許請求の範囲】
【請求項１】
端末アンテナ構造であって、該アンテナ構造は：誘電体板、金属板、共平面導波管ＣＰＷ給電用ストリップ、及び給電点を含み、
前記金属板は、前記誘電体板上に設けられ；
前記ＣＰＷ給電用ストリップ及び前記給電点は前記誘電体板上に設けられ；かつ該給電点の一端は前記ＣＰＷ給電用ストリップの一端に接続され、かつ該給電点の他端は、前記ＣＰＷ給電用ストリップと前記金属板との間の給電接続を実現するために、前記金属板に接続され；
前記金属板上には穴が開けられ、該穴は第１の部分及び第２の部分を含み、かつ該第２の部分は前記第１の部分の前記金属板の中心に近い片側又は前記第１の部分の両側に設けられ；かつ
前記第１の部分は、前記金属板上にありかつ前記ＣＰＷ給電用ストリップ及び前記給電点に対応する複数の位置に設けられ；かつ前記第２の部分は、２つ以上のギャップを形成するために、前記第１の部分の前記片側又は前記両側に沿って延びる、
端末アンテナ構造。
【請求項２】
前記第１の部分のサイズは、前記ＣＰＷ給電用ストリップのサイズ及び前記給電点のサイズよりわずかに大きい、
請求項１に記載の端末アンテナ構造。
【請求項３】
前記複数のギャップは、Ｍを３以上の整数として、それぞれ、Ｍ個の辺を有する多角形である、
請求項１又は２に記載の端末アンテナ構造。
【請求項４】
前記ＣＰＷ給電用ストリップは、前記誘電体板の長辺に対して平行であるか又は直交し、又は前記ＣＰＷ給電用ストリップと前記長辺との間に角度が設定される、
請求項１から３のいずれか１項に記載の端末アンテナ構造。
【請求項５】
前記ＣＰＷ給電用ストリップは直線形状、Ｔ形状、Ｌ形状、Ｆ形状、Ｕ形状、又はＥ形状である、
請求項１から４のいずれか１項に記載の端末アンテナ構造。
【請求項６】
筐体及びアンテナ構造を含む端末であって、該アンテナ構造は該筐体に固定され、かつ該アンテナ構造は：誘電体板、金属板、共平面導波管ＣＰＷ給電用ストリップ、及び給電点を含み、
前記金属板は、前記誘電板上に設けられ；
前記ＣＰＷ給電用ストリップ及び前記給電点は前記誘電体板上に設けられ；かつ該給電点の一端は該給電ストリップの一端に接続され、かつ該給電点は、該ＣＰＷ給電用ストリップと前記金属板との間の給電接続を実現するために、前記金属板に接続され；
前記金属板上には穴が開けられ、該穴は第１の部分及び第２の部分を含み、かつ前記第２の部分は前記第１の部分の前記金属板の中心に近い片側又は前記第１の部分の両側に設けられ；かつ
前記第１の部分は、前記金属板上にあり、かつ前記ＣＰＷ給電用ストリップ及び前記給電点に対応する複数の位置に設けられ；かつ前記第２の部分は、２つ以上のギャップを形成するために、前記第１の部分の前記片側又は前記両側に沿って延びる、
端末。
【請求項７】
前記第１の部分のサイズは、前記ＣＰＷ給電用ストリップのサイズ及び前記給電点のサイズよりわずかに大きい、
請求項６に記載の端末。
【請求項８】
前記複数のギャップは、Ｍを３以上の整数として、それぞれ、Ｍ個の辺を有する多角形である、
請求項６又は７に記載の端末。
【請求項９】
前記ＣＰＷ給電用ストリップは、前記誘電体板の長辺に対して平行であるか又は直交し、又は前記ＣＰＷ給電用ストリップと前記長辺との間に角度が設定される、
請求項６から８のいずれか１項に記載の端末。
【請求項１０】
前記ＣＰＷ給電用ストリップは直線形状、Ｔ形状、Ｌ形状、Ｆ形状、Ｕ形状、又はＥ形状である、
請求項６から９のいずれか１項に記載の端末。
【発明の詳細な説明】
【技術分野】
【０００１】
本出願は、２０１４年１月２６日に中国特許庁に出願された「ＴＥＲＭＩＮＡＬ  ＡＮＴＥＮＮＡ  ＳＴＲＵＣＴＵＲＥ  ＡＮＤ  ＴＥＲＭＩＮＡＬ」と題する中国特許出願第ＣＮ２０１４１００３８４０５．４号の優先権を主張し、参照することにより、その全内容をここに援用する。
【０００２】
本発明は、通信技術の分野に関連し、そして特に、端末アンテナ構造及び端末に関連する。
【背景技術】
【０００３】
移動通信の複数の技術の急速な発展に伴い、複数の端末製品の複数の機能は多様化及び複雑化し、複数の端末アンテナに対してますます厳しい複数の要件を提起している。今日では、複数の端末製品の統合レベルが継続的に向上されており、このことは、第２世代移動通信技術（Ｓｅｃｏｎｄ  Ｇｅｎｅｒａｔｉｏｎ、２Ｇ）、第３世代移動通信技術（Ｔｈｉｒｄ  Ｇｅｎｅｒａｔｉｏｎ、３Ｇ）、及び第４世代移動通信技術（Ｆｏｕｒｔｈ  Ｇｅｎｅｒａｔｉｏｎ、４Ｇ）、すなわち、ロングタームエボルーション（Ｌｏｎｇ  Ｔｅｒｍ  Ｅｖｏｌｕｔｉｏｎ、ＬＴＥ）、が同じ端末製品内において同時に実施されることを要求し、アンテナの帯域幅及び性能について、ますます高い複数の要件を提起している。従って、複数の端末製品の複数の要件を満たすために、複数の広い周波数帯及び高効率の複数のアンテナが必要とされる。
【０００４】
現在、複数の４ＧのＬＴＥ製品が商業的に使用されており、かつ諸端末製品もまたＬＴＥ周波数帯をサポートすることが必要とされ始めている。ＬＴＥの周波数帯域幅（例えば、７９１ＭＨｚから９６０ＭＨｚ、１４００ＭＨｚから１５００ＭＨｚ、又は１７１０ＭＨｚから２６９０ＭＨｚ）は、以前の２Ｇ及び３Ｇの周波数帯域よりもはるかに広いため、従来の複数のアンテナは、帯域幅の要件をほとんど満たすことができない。また、アンテナの効率は低すぎてはならない（例えば、低周波数に対して少なくとも３５％、かつ高周波数に対して少なくとも４５％）、ということがＬＴＥにより要求されている。
【発明の概要】
【発明が解決しようとする課題】
【０００５】
従って、ＬＴＥ周波数帯域の全体をカバーし、かつ高い効率を有するアンテナをどのように実現するかということは、当業者が解決する必要のある緊急の技術的課題である。
【課題を解決するための手段】
【０００６】
本発明の複数の実施例は、端末アンテナ構造及び端末を提供し、ここで前記アンテナ構造はＬＴＥ周波数帯域の全体をカバーすることが可能であり、高い効率を有し、かつＬＴＥの全帯域の性能要件を満たす。
【０００７】
第１の態様によると、端末アンテナ構造が提供され、前記アンテナ構造は：誘電体板、金属板、共平面導波管ＣＰＷ給電用ストリップ、及び給電点を含み、ここで、前記金属板は、前記誘電体板を覆い；前記共平面導波管ＣＰＷ給電用ストリップ及び給電点は前記誘電体板上に設けられ；かつ前記給電点は前記給電ストリップの一端に設けられ、かつ前記給電点は、前記ＣＰＷ給電用ストリップと前記金属板との間の給電接続を実現するために、前記金属板に接続され；前記金属板上には穴が開けられ、前記穴は第１の部分及び第２の部分を含み、かつ前記第２の部分は前記第１の部分の前記金属板の中心に近い片側又は前記第１の部分の両側に設けられ、前記第１の部分は、前記金属板上にありかつ前記ＣＰＷ給電用ストリップ及び前記給電点に対応する複数の位置に設けられ；かつ前記第２の部分は、２つ以上のギャップを形成するために、前記第１の部分の前記片側又は前記両側に沿って延びる。
【０００８】
前記第１の態様の第１の可能な実施方法において、前記第１の部分のサイズは、前記ＣＰＷ給電用ストリップのサイズ及び前記給電点のサイズよりわずかに大きい。
【０００９】
前記第１の態様及び前記第１の態様の前記第１の可能な実施方法に関する前記第１の態様の第２の可能な方法において、前記複数のギャップは、Ｍを３以上の整数として、それぞれ、Ｍ個の辺を有する多角形である。
【００１０】
前記第１の態様及び前記第１の態様の前記可能な実施方法のいずれかに関する前記第１の態様の第３の可能な実施方法において、前記ＣＰＷ給電用ストリップは、前記誘電体板の長辺に対して平行であるか又は直交し、又は前記ＣＰＷ給電用ストリップと前記長辺との間に角度が設定される。
【００１１】
前記第１の態様及び前記第１の態様の前記可能な実施方法のいずれかに関する第１の態様の第４の可能な実施方法において、前記ＣＰＷ給電用ストリップは直線形状、Ｔ形状、Ｌ形状、Ｆ形状、Ｕ形状、又はＥ形状である。
【００１２】
第１の態様によると、筐体及びアンテナ構造を含む端末が提供され、前記アンテナ構造は前記筐体に固定され、かつ前記アンテナ構造は：誘電体板、金属板、共平面導波管ＣＰＷ給電用ストリップ、及び給電点を含み、ここで、前記金属板は、前記誘電板を覆い；前記共平面導波管ＣＰＷ給電用ストリップ及び前記給電点は前記誘電体板上に設けられ；かつ前記給電点は前記給電ストリップの一端に設けられ、かつ前記給電点は、前記ＣＰＷ給電用ストリップと前記金属板との間の給電接続を実現するために、前記金属板に接続され；前記金属板上には穴が開けられ、前記穴は第１の部分及び第２の部分を含み、かつ前記第２の部分は前記第１の部分の前記金属板の中心に近い片側又は前記第１の部分の両側に設けられ；かつ前記第１の部分は、前記金属板上にありかつ前記ＣＰＷ給電用ストリップ及び前記給電点に対応する複数の位置に設けられ；かつ前記第２の部分は、２つ以上のギャップを形成するために、前記第１の部分の前記片側又は前記両側に沿って延びる。
【００１３】
前記第２の態様の第１の可能な実施方法において、前記第１の部分のサイズは、前記ＣＰＷ給電用ストリップのサイズ及び前記給電点のサイズよりわずかに大きい。
【００１４】
前記第２の態様及び前記第２の態様の前記第１の可能な実施方法に関する前記第１の態様の第２の可能な方法において、前記複数のギャップは、Ｍを３以上の整数として、それぞれ、Ｍ個の辺を有する多角形である。
【００１５】
前記第２の態様及び前記第２の態様の前記可能な実施方法のいずれかに関する前記第２の態様の第３の可能な実施方法において、前記ＣＰＷ給電用ストリップは、前記誘電体板の長辺に対して平行であるか又は直交し、又は前記ＣＰＷ給電用ストリップと前記長辺との間に角度が設定される。
【００１６】
前記第２の態様及び前記第２の態様の前記可能な実施方法のいずれかに関する第２の態様の第４の可能な実施方法において、前記ＣＰＷ給電用ストリップは直線形状、Ｔ形状、Ｌ形状、Ｆ形状、Ｕ形状、又はＥ形状である。
【００１７】
従来技術と比較して、本発明の複数の実施例に従う端末アンテナ構造において、前記金属板上に前記穴が開けられ、かつ前記穴の前記第２の部分は２つ以上のギャップを形成するために、前記第１の部分の前記片側又は前記両側に沿って延び、これにより前記ＣＰＷ給電用ストリップの片側及び／又は両側に分布する２つ以上のギャップ構造が形成される。
【００１８】
本発明の複数の実施例において、前記複数のギャップ構造は前記ＣＰＷ給電ストリップの片側又は両側に分布し、かつ前記金属板は、前記アンテナ構造の主放射器であり、これにより前記ＣＰＷ給電用ストリップ上に電流が励起され、かつ前記金属版は高周波共振を生成する。さらに、前記ＣＰＷ給電用ストリップは、低周波共振を生成するために、前記ＣＰＷ給電用ストリップの前記片側又は前記両側に分布する前記複数のギャップ構造を与え、これは広帯域の放射を実現し、これにより前記ギャップ構造は、全ＬＴＥ周波数帯域をカバーすることができる。さらに、前記複数のギャップ構造は、分散パラメータを負わすことにより、前記ギャップアンテナ構造の高周波性能及び低周波性能を改善することが可能であり、これにより前記ギャップアンテナ構造は高い効率を有し、かつＬＴＥの全帯域の性能要件を満たす。
【図面の簡単な説明】
【００１９】
本発明の複数の実施例における又は従来技術における複数の技術的解決手段をより明確に説明するために、以下において、複数の実施例を説明するために必要な複数の添付図面が簡単に紹介される。明らかに、以下の説明における複数の添付図面は、本発明の単なるいくつかの実施例であり、そして当業者は、創造的努力をすることなく、これらの複数の添付図面から他の複数の図面をさらに導き出すことができる。
【００２０】
【図１】本発明の実施例１に従う、端末アンテナの構成図である。
【００２１】
【図２】本発明の実施例２に従う、端末アンテナの構成図である。
【００２２】
【図３】図１に示される端末アンテナの構造をエミュレートすることにより取得される複数のポート反射係数の線グラフである。
【００２３】
【図４】本発明の実施例３に従う、端末アンテナの構成図である。
【００２４】
【図５】本発明の実施例４に従う、端末アンテナの構成図である。
【００２５】
【図６】本発明の実施例５に従う、端末アンテナの構成図である。
【００２６】
【図７】本発明の実施例６に従う、端末アンテナの構成図である。
【００２７】
【図８】本発明の実施例７に従う、端末アンテナの構成図である。
【００２８】
【図９】本発明の実施例８に従う、端末アンテナの構成図である。
【発明を実施するための形態】
【００２９】
以下、本発明の複数の実施例における複数の添付図面を参照して、本発明の複数の実施例における複数の技術的解決手段を明確かつ完全に説明する。明らかに、説明される複数の実施例は、本発明の全ての実施例ではなく、単なる一部である。創造的な努力をすることなく、本発明の複数の実施例に基づいて当業者により得られる他の全ての実施例は、本発明の保護範囲に属さなければならない。
【００３０】
本発明の複数の実施例は、端末アンテナ構造及び端末を提供し、ここで、当該アンテナ構造は、全ＬＴＥ周波数帯域をカバーすることが可能であり、高い効率を有し、かつＬＴＥの全帯域の性能要件を満足する。
【００３１】
本発明の複数の実施例において使用される複数の用語は、特定の複数の実施例を説明することだけを目的としており、そして本発明を限定することは意図されていない。複数の実施例及び本発明の添付の複数の特許請求項において使用される単数形の用語「ａ」、「ｓａｉｄ」、及び「ｔｈｅ」は、文脈において明確に指定されない限り、複数形も含むことが意図されている。また、本明細書で使用される用語「及び（ａｎｄ）／又は（ｏｒ）」は１つ以上の関連する列挙された項目のいずれか又は全ての可能な組合せを示しかつ含む、ということが理解されるべきである。
【００３２】
図１を参照すると、図１は、本発明の実施例１に従う端末アンテナの構成図である。図１において示されるように、アンテナの構造は：誘電体板１０、金属板２０、共平面導波管（Ｃｏｐｌａｎａｒ  Ｗａｖｅｇｕｉｄｅ、ＣＰＷ）給電用ストリップ１０１、及び給電点１０２、を含む。
【００３３】
金属板２０は、誘電体板１０を覆う。具体的には、金属板２０は、誘電体板１０を覆うために、誘電体板１０の上に設けられる。
【００３４】
ＣＰＷ給電用ストリップ１０１及び給電点１０２は、誘電体板１０の上に設けられ；かつ給電点１０２は、給電用ストリップ１０１の一方の端部に設けられ、かつＣＰＷ給電用ストリップ１０１と金属板２０との間の給電接続を実現するために、給電点１０２は、金属板２０に接続される。
【００３５】
金属板２０の上には穴が開けられている。穴は、第１の部分２０１及び第１の部分２０１の金属板２０の中心に近い片側又は第１の部分の両側の第２の部分２０２を含む。
【００３６】
第１の部分２０１は、金属板２０上にあり、かつＣＰＷ給電用ストリップ１０１及び給電点１０２に対応する複数の位置に設けられ；かつ第２の部分２０２は、２つ以上のギャップを形成するために、第１の部分の片側又は両側に沿って延びる。
【００３７】
図１を参照すると、穴の第１の部分２０１は、ＣＰＷ給電用ストリップ１０１及び給電点１０２の位置に面している。誘電体板１０上に設けられるＣＰＷ給電ストリップ１０１及び給電点１０２が第１の部分２０１を通して金属板２０を完全に通過することができ、かつ露出されるようにするために、穴の第１の部分２０１のサイズは、ＣＰＷ給電用ストリップ１０１のサイズ及び給電点１０２のサイズよりも少し大きい。
【００３８】
図１に示されるように、本発明の実施例１に従うアンテナの構造において、第２の部分２０２が第１の部分２０１の片側に沿って延びることにより２つ以上のギャップを形成するようにするために、穴の第２の部分２０２は第１の部分の金属板２０の中心に近い片側に位置する。具体的には、第２の部分２０２を用いることにより、ＣＰＷ給電用ストリップ１０１の片側又は両側に２つ以上のギャップが形成される。
【００３９】
穴の第１の部分２０１及び第２の部分２０２は接続されている、ということに注意すべきである。
【００４０】
図１を参照すると、金属板２０において、穴の第２の部分２０２は、第１の部分２０１の片側に位置し、そして具体的には、図１における□及び□により示される領域内に示されるように、第２の部分２０２は２つの切り込みを形成する。誘電体板１０の上に設けられるＣＰＷ給電用ストリップ１０１及び給電点１０２は、穴の第１の部分２０１を通して金属板２０を通過し、かつ露出される。その後、２つの切り込みを誘電体板１０の上にマッピングすることにより得られる複数の部分もまた、第１の部分２０１の片側に設けられた第２の部分２０２により形成された２つの切り込みを用いることにより露出される。また、２つの切り込みが切断された後、金属板２０の残りの部分とＣＰＷ給電用ストリップ１０１との間に２つのギャップが形成され、それらは図１において、それぞれ、□及び□により示される。
【００４１】
図１を参照すると、図１の中の複数の斜線により示される複数の領域は、露出された誘電体板１０及びＣＰＷ給電用ストリップ１０１を表し、かつ誘電体板１０の他の部分は金属板２０により塞がれ、かつ図１においては示されていない、ということに注意すべきである。
【００４２】
金属板２０は導体平板である、ということに注意すべきである。導体平板は、銅板又は銅箔等の、良好な接続性を有する導体から作られてもよい。従って、導体平板は、ギャップアンテナの接地平面、接地（ｇｒｏｕｎｄ）と略す、として使用される。
【００４３】
実際の応用において、第２の部分２０２が第１の部分２０１の両側に沿って延びることにより２つ以上のギャップを形成することができるようにするため、穴の第２の部分２０２は、また、第１の部分２０１の両側に配置されてもよい、ということに注意すべきである。
【００４４】
また、第１の部分２０１の片側又は両側に沿って延びる第２の部分２０２により形成される複数のギャップの数は、必要に応じて具体的に設定されてもよい。例えば、２つより多いギャップ、例えば、３つ、４つ、或いはそれより多くのギャップ、が形成されてもよい。
【００４５】
図２を参照すると、図２は本発明の実施例２に従う端末アンテナの構成図である。ＣＰＷ給電用ストリップ１０１の片側に３つのギャップ（図２における□、□、及び□により示される複数の領域の中に示されるような）が形成される例が図２における説明のために使用される。
【００４６】
実際の応用において、ＣＰＷ給電用ストリップ１０１の片側又は両側に形成される複数のギャップの数は、必要に応じて具体的に設定されてもよく、これについて、本発明のこの実施例に従う端末アンテナの構造によっては具体的には限定されない。各ギャップ構造は、波長に対応しており、かつ複数のギャップの数を増やすことで、端末アンテナの構造の複数の低周波共振点の数を増やすことが可能である、ということに注意すべきである。換言すると、複数のギャップのより大きな数は、端末アンテナ構造のより低い共振周波数、及び端末アンテナの構造により実現可能なより広い帯域幅を表す。しかしながら、アンテナのサイズは限られているため、ギャップの数を無限に増やすことはできず、そして従って、実際の設定においては平衡点を見出す必要があり、かつ必要に応じて所望の複数のギャップの数が適切に設定される。
【００４７】
図１において示される端末アンテナの構造について、アンテナの構造を端末の筐体の中に固定してもよく、端末により送られるエネルギーを受け取り、当該エネルギーを金属板２０に送り、そして給電点１０２を用いることにより、当該エネルギーをＣＰＷ給電用ストリップ１０１に送り、端末アンテナの構造の給電を実現することができる。
【００４８】
本発明のこの実施例において、第１にＣＰＷ給電方式は広帯域特性を有し、そして第２にデータカードアンテナのレイアウトにおいて、ＣＰＷ給電方式を使用する端末アンテナのサイズを効果的に縮小することが可能であるため、端末アンテナの構造は、ギャップ構造を加えたＣＰＷ給電方式を使用している。
【００４９】
図１において示される複数のギャップ構造について、複数のギャップはＣＰＷ給電ストリップ１０１の同じ側に分散され、かつ分散パラメータを負わす方法で端末アンテナの高周波数性能及び低周波数性能を向上するために主に機能する。給電点１０２に近いギャップは主に端末アンテナの高周波数性能を調整するために使用され、かつＣＰＷ給電用ストリップ１０１の末尾に近いギャップは主に端末アンテナの低周波性能を調整するために使用される。従って、ＣＰＷ給電ストリップ１０１の片側に複数の切り込みを開けることにより、２つ以上のギャップが形成され、かつ協調的に使用され、これによりギャップアンテナは比較的広い帯域幅を有することができる。
【００５０】
具体的には、本発明のこの実施例において、金属板２０の上に、金属板２０の上に穴が開けられ、かつ穴の第２の部分は、ＣＰＷ給電ストリップ１０１の片側に分散される２つ以上のギャップ構造を形成する。本発明の実施例１において、複数のギャップ構造は、ＣＰＷ給電ストリップ１０１の片側に分散され、かつ金属板２０は端末アンテナの主放射器であり、これによりＣＰＷ給電ストリップ１０１は、周囲の金属（すなわち、金属板２０）において電流を励起して、高周波共振を生成することができる。また、ＣＰＷ給電ストリップ１０１は、低周波共振を生成するために、ＣＰＷ給電ストリップ１０１の片側に分散される複数のギャップ構造に給電し、それは広帯域放射を実現し、これにより端末アンテナは全ＬＴＥ周波数帯をカバーすることができる。また、複数のギャップ構造は、分散パラメータを負うことにより、高周波性能及び低周波性能を向上させることが可能であり、これにより端末アンテナは、高効率を有することができ、かつＬＴＥの全帯域の性能要件を満たすことができる。
【００５１】
図３を参照すると、図３は図１において示される端末アンテナの構造をエミュレートすることにより得られる複数のポート反射係数の線グラフである。図３に示されるように、図３の横軸は端末アンテナの構造の動作周波数帯域（単位はＧＨｚ）を表し、かつ図３の縦軸は端末アンテナの構造のポート反射係数（単位はｄＢａ）を表す。実際の応用において、一般に、特定の動作周波数帯域における端末アンテナの構造のポート反射係数が−４ｄＢａ未満である場合、端末アンテナの構造は、その動作周波数帯域における性能要件を満たしていると考えられる。
【００５２】
図３を参照すると、本発明の実施例１に従う端末アンテナの構造は全ＬＴＥ動作周波数帯域範囲内において、ポート反射係数が−４ｄＢａ未満であるという要件を満たすことができる、ということが理解できる。このことから、本発明のこの実施例における端末アンテナの構造は、広帯域放射を実現でき、全ＬＴＥ周波数帯域（７９１ＭＨｚから２６９０ＭＨｚ）をカバーし、高効率を有し、かつＬＴＥの全帯域の性能要件を満たすということをエミュレーションの方法で証明することができる、ということが理解できる。
【００５３】
また、第２の部分２０２は矩形のギャップを形成するための矩形の切り込みであるという例が前述の実施例１及び実施例２を説明するために使用されている。実際の応用において、第２の部分２０２により形成されるギャップの具体的な形状が限定される必要はなく、そして必要に応じて具体的に決定することができる。
【００５４】
図４を参照すると、図４は本発明の実施例３に従う端末アンテナの構成図である。図４に示されるように、第２の部分２０２により形成され、かつＣＰＷ給電用ストリップ１０１の末尾の位置に近いギャップは、台形形状である。もちろん、本発明の複数の実施例において、ギャップは、また、三角形、円形、多角形形状等であってもよい。具体的には、第２の部分２０２の形状を設定することにより、Ｍは３以上の整数であるとして、ギャップはＭ個の辺を有する多角形であってもよい。
【００５５】
また、前述の実施例において、ＣＰＷ給電ストリップ１０１は、一様な幅を有するマイクロストリップである。本発明の他の複数の実施例において、ＣＰＷ給電ストリップ１０１の幅は、一様でなくてもよい。
【００５６】
具体的には、ＣＰＷ給電用ストリップ１０１は、複数の金属線の少なくとも１つの組合せを含んでもよく、ここで複数の金属線は、それぞれ、Ｎを３以上の整数として、Ｎ個の辺を有する任意の多角形であってもよい。
【００５７】
例えば、ＣＰＷ給電用ストリップ１０１は、矩形の金属線及び六角形の金属線を含んでもよく、かつＣＰＷ給電用ストリップ１０１は、矩形の金属線と六角形の金属線とを組み合わせることにより形成されてもよい。
【００５８】
ＣＰＷ給電用ストリップ１０１は、１つ以上の金属線を順番に接続することにより形成されてもよい、ということに注意すべきである。
【００５９】
図５を参照すると、図５は、本発明の実施例４に従う端末アンテナの構成図である。図５において示されるように、ＣＰＷ給電用ストリップ１０１は、第１の金属線１０１１及び第２の金属線１０１２を含む。第１の金属線１０１１は、第２の金属線１０１２に接続され、かつ第１の金属線１０１１の幅は、第２の金属線１０１２のそれとは異なる。
【００６０】
もちろん、図５は例を示すだけである。本発明の複数の実施例において、ＣＰＷ給電用ストリップ１０１は、２つ以上の給電用ストリップを順番に接続することにより形成されてもよく、かつ２つ以上の給電用ストリップの幅は完全には同じでないか、又は２つ以上の給電用ストリップの形状は、完全には同じでない。ＣＰＷ給電用ストリップの幅を変更することにより、端末アンテナのインピーダンス特性を調整することが可能であり、これにより端末アンテナの動作周波数を調整することができる。
【００６１】
また、前述の実施例において、第２の部分２０２は、第１の部分２０１の金属板２０の中心に近い片側に設置され、これによりＣＰＷ給電用ストリップ１０１の片側に２つ以上のギャップ構造を形成することができる。実際の応用において、第２の部分２０２は、また、第１の部分２０１の両側に設置されてもよく、これによりＣＰＷ給電ストリップ１０１の両側に複数のギャップ構造を形成することができる。
【００６２】
図６を参照すると、図６は、本発明の実施例５に従う端末アンテナの構成図である。図６において示されるように、第２の部分２０２は第１の部分２０１の両側に設置され、これにより第２の部分が第１の部分２０１の両側に沿って延び、２つ以上のギャップを形成する。
【００６３】
具体的には、図６において示されるように、第２の部分２０２を用いることにより、複数のギャップ構造（図６における□、□、及び□により示される複数の領域の中に示されるような）がＣＰＷ給電用ストリップ１０１の両側に形成される。
【００６４】
図１に示される実施例１において、ＣＰＷ給電用ストリップ１０１について、複数のギャップ構造は、給電点１０２が設けられる片側に形成される、ということに注意すべきである。本発明の他の複数の実施例において、ＣＰＷ給電用ストリップ１０１について、複数のギャップ構造は、また、給電点１０２の反対側（つまり、給電点１０２が設けられていない片側）に形成されてもよい。もちろん、他の複数の実施例において、複数のギャップ構造は、また、ＣＰＷ給電用ストリップ１０１の両側に形成されてもよい。また、各側に形成される複数のギャップの数を限定する必要はなく、そして必要に応じて具体的に設定してもよい。ギャップの位置、すなわち、ＣＰＷ給電用ストリップ１０１のどちら側にギャップが設けられているかについては、必要に応じて具体的に設定されてもよく、かつ一般に端末アンテナの構造の形状及び全体的なサイズに従って決定される。
【００６５】
また、前述の実施例において、ＣＰＷ給電用ストリップ１０１は、直線形状である。本発明の他の複数の実施例において、ＣＰＷ給電用ストリップ１０１の形状は変更されてもよい。
【００６６】
図７及び図８を参照すると、図７及び図８は、それぞれ、本発明の実施例６及び実施例７に従う端末アンテナの構成図である。図７において示されるように、実施例６において、折れ曲がり形状（又はＬ形状）の構造を形成するために、ＣＰＷ給電用ストリップ１０１の上端にチューニングスタブが付け加えられる。図８において示されるように、実施例７において、Ｔ形状の構造を形成するために、ＣＰＷ給電用ストリップ１０１の中間にチューニングスタブが付け加えられる。実施例６及び実施例７において、ＣＰＷ給電用ストリップ１０１にチューニングスタブを付け加えることにより、端末アンテナの構造の中央の周波数帯域を効果的に改善することが可能であり、端末アンテナの構造の広い周波数帯域を実現することができる。
【００６７】
もちろん、実施例６及び実施例７は、単に、ＣＰＷ給電用ストリップ１０１の２つの具体的な異なる構造を提供している。本発明の他の複数の実施例において、ＣＰＷ給電用ストリップ１０１は、さらに、例えば、Ｆ形状又はＥ形状といった、他の複数の変形を有してもよく、これについては本発明のこの実施例においては具体的には限定されない。
【００６８】
また、前述の複数の実施例において、給電用ストリップ１０１は、誘電体板１０の長辺に対して直角であり、かつ誘電体板１０に設けられている。本発明の他の複数の実施例において、給電用ストリップ１０１の位置及び設定方向は限定されない。図９を参照すると、図９は本発明の実施例８に従う端末アンテナの構成図である。図９において示されるように、給電用ストリップ１０１は、誘電体板１０の長辺に平行であり、かつ誘電体１０に設けられている。もちろん、実際の応用において、給電用ストリップ１０１と誘電体板１０の長辺との間に角度をさらに設定してもよく、かつ給電用ストリップ１０１は誘電体板１０に設けられる。
【００６９】
一般に、本発明のこの実施例に従う複数の電子デバイスは、デスクトップコンピュータ、ノートブックコンピュータ、パーソナルデジタルアシスタント（Ｐｅｒｓｏｎａｌ  Ｄｉｇｉｔａｌ  Ａｓｓｉｓｔａｎｔ、ＰＤＡ）、ホームゲートウェイ、及び電源ソケット等の、複数のインターフェースを有する複数の電子デバイスを含んでもよい。コネクタ３０は、ユニバーサルシリアルバス（Ｕｎｉｖｅｒｓａｌ  Ｓｅｒｉａｌ  Ｂｕｓ、ＵＳＢ）コネクタ、金属弾性材（ｍｅｔａｌ  ｅｌａｓｔｏｍｅｒ）、又は他のユーザ定義のコネクタであってもよい。本発明のこの実施例において、コネクタ３０の具体的な実装は限定されず、そして本発明のこの実施例に従う端末アンテナにより本発明の目的を実現するために、複数の電子デバイスに接続することが可能であり、かつエネルギー伝送を実現することの可能な任意のコネクタを使用することができる。
【００７０】
上記複数の実施例における端末アンテナに対応して、本発明の実施例は、さらに端末を提供し、ここで前記端末は筐体及びアンテナ構造を含み、かつ前記アンテナ構造は前記筐体内に固定されている。前記アンテナ構造は：誘電体板、金属板、共平面導波管ＣＰＷ給電用ストリップ、及び給電点を備える。前記金属板は、前記誘電体板を覆う。
【００７１】
前記共平面導波管ＣＰＷ給電用ストリップ及び前記給電点は前記誘電体上に設けられ；かつ前記給電点は前記給電用ストリップの一端に設けられ、かつ前記ＣＰＷ給電用ストリップと前記金属板との間の給電接続を実現するために、前記給電点は前記金属板に接続される。
【００７２】
前記金属板上に穴が開けられ、かつ前記穴は第１の部分及び前記第１の部分の前記金属板の中心に近い片側に設けられる又は前記第１の部分の両側に延びる第２の部分を含む。
【００７３】
前記第１の部分は、前記金属板の上であり、かつ前記ＣＰＷ給電用ストリップ及び前記給電点に対応する複数の位置に設けられ；かつ前記第２の部分は、２つ以上のギャップを形成するために、前記第１の部分の前記片側又は前記両側に沿って延びる。
【００７４】
好適には、前記第１の穴の前記第１の部分のサイズは、前記ＣＰＷ給電用ストリップのサイズ及び前記給電点のサイズよりも少し大きい。
【００７５】
好適には、前記複数のギャップは、Ｍを３以上の整数として、それぞれ、Ｍ個の辺を有する多角形である。
【００７６】
好適には、前記ＣＰＷ給電用ストリップは、前記誘電体板の長辺に対して直角又は平行であり、又は前記ＣＰＷ給電用ストリップと前記長辺との間に角度が設定される。
【００７７】
好適には、前記ＣＰＷ給電用ストリップは直線形状、Ｔ形状、Ｌ形状、Ｆ形状、Ｕ形状、又はＥ形状である。
【００７８】
前述の説明は、本発明の単なる具体的な実施方法にすぎないが、本発明の保護範囲を限定することは意図されていない。本発明において開示される技術的範囲内で当業者により容易に考え出された任意の変更又は置換は、本発明の保護範囲に属さなければならない。従って、本発明の保護範囲は、複数の特許請求項の保護範囲に従わなければならない。
【図１】
0005911660.tif 000002
【図２】
0005911660.tif 000003
【図３】
0005911660.tif 000004
【図４】
0005911660.tif 000005
【図５】
0005911660.tif 000006
【図６】
0005911660.tif 000007
【図７】
0005911660.tif 000008
【図８】
0005911660.tif 000009
【図９】
0005911660.tif 000010